(57)【要約】【課題】より確実にデータの消失を防止することができるようにする。【解決手段】電池Ｂを収納する電池収納部１０と、電池収容部１０を塞ぐ電池蓋２０とを備え、電池Ｂを駆動電源として作動する電子機器１００が、電池収容部１０を塞いだ電池蓋２０を係止する係止部８２をユーザ操作によって係止位置と開放位置に切り替える操作部８１と、係止部８２と連動して位置が切り替えられる被検知部８３と、被検知部８３の位置に応じて係止部８２が開放位置にあることを検知するスイッチ６０と、データを記憶するメモリーカードＭとを備え、スイッチ６０のレバー６１が被検知部８３に押されたことで係止部８２が開放位置にあることを検知した際、制御部３ａがメモリーカードＭへのデータの書き込みを行う処理を実行して、電源遮断に備えるようにした。【選択図】図１
2018014333.tif 000002
【特許請求の範囲】
【請求項１】
電池を収納する電池収納部と、前記電池収納部を塞ぐ電池蓋とを備え、前記電池を駆動電源として作動する電子機器であって、
前記電池収納部を塞いだ前記電池蓋を係止する係止部をユーザによる回転操作によって係止位置と開放位置に切り替えるための操作部と、
前記係止部と連動して位置が切り替えられる被検知部と、
前記被検知部の位置に応じて、前記係止部が開放位置にあるか否かを検知する検知部と、を備え、
前記操作部、前記係止部及び前記被検知部は、互いの回転軸が共通とされることにより前記操作部の回転に伴う前記係止部及び前記被検知部の回転角度が前記操作部の回転角度と等しくなるように構成されていることを特徴とする電子機器。
【請求項２】
前記検知部が、前記係止部が開放位置にあることを検知した際、データを記憶する記憶媒体へのデータの書き込みを行う処理を実行する制御部を備えることを特徴とする請求項１に記載の電子機器。
【請求項３】
電子部品が実装されている回路基板を備え、
前記制御部は、前記係止部が開放位置にあることを検知した際、前記回路基板の電子部品への信号供給をオフにし、前記回路基板の動作を終了させる処理を実行することを特徴とする請求項２に記載の電子機器。
【請求項４】
前記操作部、前記係止部及び前記被検知部は、それぞれの一方の端部が前記回転軸に接続されているとともに他方の端部が互いに異なる方向に向くように構成されていることを特徴とする請求項１〜３の何れか一項に記載の電子機器。
【請求項５】
前記係止部と連動して移動する爪部と、
前記爪部の移動範囲に設けられている凸部と、を備え、
前記爪部の位置が切り替えられる際、前記爪部が前記凸部を乗り越えることを特徴とする請求項１〜４の何れか一項に記載の電子機器。
【発明の詳細な説明】
【技術分野】
【０００１】
本発明は、電子機器に関する。
【背景技術】
【０００２】
ハンディターミナルやＰＤＡ（パーソナル・デジタル・アシスタント）といった携帯型の電子機器は、本体内部の電池収納部に格納されている電池から駆動電源の供給を受けて、電子回路や各部品を制御したり駆動したりしている。
このような電子機器において、メモリーカードヘデータの書き込みを行っている最中に電池が外されて電源遮断が起こると、データが消失してしまうことがある。
そこで、電池蓋の開閉を検知するスイッチを設け、電池蓋が開かれたことを検知した際にはメモリーカードヘのデータの書き込みを早急に行うように制御して、データの消失を防止する技術が知られている（例えば、特許文献１参照。）。
【先行技術文献】
【特許文献】
【０００３】
【特許文献１】特開平１１−２３２１８２号公報
【発明の概要】
【発明が解決しようとする課題】
【０００４】
しかしながら、上記特許文献１の場合、電池蓋が開かれた状態は電池の取り出しが可能な状態であるので、例えば、電子機器を操作中に誤って落としてしまい、落下の衝撃で電池蓋が開くとほぼ同時に電池が外れてしまったような場合には、データが消失するトラブルが生じることもある。
【０００５】
本発明の課題は、より確実にデータの消失を防止できるようにすることである。
【課題を解決するための手段】
【０００６】
本発明に係る電子機器は、電池を収納する電池収納部と、前記電池収納部を塞ぐ電池蓋とを備え、前記電池を駆動電源として作動する電子機器であって、前記電池収納部を塞いだ前記電池蓋を係止する係止部をユーザによる回転操作によって係止位置と開放位置に切り替えるための操作部と、前記係止部と連動して位置が切り替えられる被検知部と、前記被検知部の位置に応じて、前記係止部が開放位置にあるか否かを検知する検知部と、を備え、前記操作部、前記係止部及び前記被検知部は、互いの回転軸が共通とされることにより前記操作部の回転に伴う前記係止部及び前記被検知部の回転角度が前記操作部の回転角度と等しくなるように構成されていることを特徴とする。
【発明の効果】
【０００７】
本発明によれば、より確実にデータの消失を防止することができる。
【図面の簡単な説明】
【０００８】
【図１】本実施形態の電子機器を示す正面図（ａ）と、背面図（ｂ）である。
【図２】本実施形態の電子機器を示す斜視図（ａ）と、電池蓋を外した電子機器を示す斜視図（ｂ）である。
【図３】本実施形態の電子機器を示す分解斜視図である。
【図４】前面ケースの係着部に取り付けた補助金具を示す斜視図である。
【図５】前面ケースの係着部と補助金具を示す拡大図である。
【図６】前面ケースとキーボード部を示す正面図である。
【図７】キーボード部のキーボードシートを示す斜視図である。
【図８】前面ケースを取り付ける前のキーボードシートの形状（ａ）と、前面ケースを取り付けた後のキーボードシートの形状（ｂ）を、比較するための説明図である。
【図９】電池収納部を示す斜視図であり、電池を外した状態（ａ）と、電池を嵌めた状態（ｂ）である。
【図１０】カバー部材を示す斜視図であり、前方斜視図（ａ）と、後方斜視図（ｂ）である。
【図１１】クッション部材の変形例を示す、分解斜視図である。
【図１２】カバー部材とクッション部材とで電池を覆うように挟んだ状態を示す断面図である。
【図１３】左ロック部と右ロック部を示す拡大図である。
【図１４】後面ケースに軸着された左ロック部と右ロック部の係止位置に関する説明図であり、後面ケースの外面側（ａ）と、後面ケースの内面側（ｂ）を示している。
【図１５】後面ケースに軸着された左ロック部と右ロック部の開放位置に関する説明図であり、後面ケースの外面側（ａ）と、後面ケースの内面側（ｂ）を示している。
【図１６】係止位置にある被検知部とスイッチの配置を示す説明図（ａ）と、開放位置にある被検知部とスイッチの配置を示す説明図（ｂ）である。
【図１７】係止位置にある被検知部とスイッチの配置を示す説明図（ａ）と、開放位置にある被検知部とスイッチの配置を示す説明図（ｂ）である。
【発明を実施するための形態】
【０００９】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１０】
図１（ａ）は電子機器を示す正面図、図１（ｂ）は背面図である。図２（ａ）は電子機器を示す斜視図、図２（ｂ）は電池蓋を外した状態の電子機器を示す斜視図である。図３は電子機器の分解斜視図である。
【００１１】
電子機器１００は、図１から図３に示すように、前面ケース１と、前面ケース１の裏側に装着される後面ケース２を備えており、前面ケース１と後面ケース２の内部には、情報処理に必要な各種の電子部品が設けられた回路基板３や、駆動電源となる電池Ｂが収納される電池収納部１０等が組み込まれている。また、回路基板３には電子機器１００の各部を統括制御する制御部３ｂが設けられている。
【００１２】
回路基板３における前面ケース１側には、表示部４およびキーボード部５が設けられている。また、回路基板３における後面ケース２側に電池収納部１０が設けられており、後面ケース２には、電池収納部１０を塞ぐ電池蓋２０が着脱可能に取り付けられている。
表示部４は、液晶表示パネルやＥＬ（エレクトロルミネッセンス）表示パネルなどの平面型の表示パネルからなり、各種の情報を表示するように構成されている。
キーボード部５は、文字キー、カーソルキー、ファンクションキーなど、情報の入力や操作に必要な各種のキー５１を備えている。
そして、前面ケース１には、図６に示すように、表示部４に対応する表示開口部１ｃと、各種キー５１に対応する複数のキー挿入孔１ｄが設けられており、表示開口部１ｃから表示部４が露出し、複数のキー挿入孔１ｄから各種キー５１が突出するように、表示部４とキーボード部５が回路基板３に配設されている。
【００１３】
前面ケース１と後面ケース２は、例えば、上辺側の２箇所、下辺側の２箇所、上下辺間に位置する２箇所の合計６箇所で、ビス６（図１（ｂ）参照）によって結合されるように構成されている。
すなわち、後面ケース２には、上辺側、下辺側、上下辺間にそれぞれ２箇所ずつ、合計６箇所にビス挿入孔２ａが設けられている。また、前面ケース１には、ビス挿入孔２ａに対応するように、上辺側と下辺側にそれぞれ２箇所ずつの４箇所にビス６が螺入されるネジ穴１ａが設けられており、上下辺間のビス挿入孔２ａに対応する位置にはそれぞれビス止め用の補助金具７が配設されている。この補助金具７は、前面ケース１の内側における表示開口部１ｃの両側に固定されている（図３〜図５参照）。
【００１４】
補助金具７は、図４から図５に示すように、略Ｔ字形状を呈する部材であり、前面ケース１に係着される固定端部７１と、固定端部７１の略中央から延在したビス止め部７２を有している。ビス止め部７２の先端側は、固定端部７１に対し略直角に折り曲げられており、ビス６が螺入されるネジ穴７ａが設けられている。
【００１５】
前面ケース１には、図４、図５に示すように、補助金具７を取り付けるための係着部１７が設けられている。
係着部１７は、補助金具７を位置決めするように固定端部７１の両端に当接する位置決めリブ１７ａと、ビス止め部７２の両側において固定端部７１の上縁に係着する係着爪１７ｂを有している。
ここで、補助金具７を前面ケース１に取り付ける際には、図３に示すように、表示部４を備えた回路基板３が前面ケース１に組み付けられているので、表示部４との隙間にある係着部１７に補助金具７の固定端部７１を差し込むようにして、前面ケース１に補助金具７を取り付けることができる。
なお、従来は、両面テープや接着剤を用いて補助金具７を前面ケース１に取り付けていたため、補助金具７を前面ケース１の所定位置に取り付け難く、補助金具７の取付位置がずれてしまった場合にそのずれを直す作業が煩わしいものであった。
それに対し、このような係着部１７を前面ケース１に設けたことで、補助金具７を前面ケース１の所定位置にワンタッチで取り付けることが可能になり、電子機器１００の組み立て作業が容易になった。
【００１６】
キーボード部５は、図６に示すように、キーボードシート５２に各種キー５１が接着剤で貼付されて形成されている。
各種キー５１は、例えば、プラスチック材料からなるブロック状の部材である。
キーボードシート５２は、例えば、シリコンゴムなど弾性材料からなるシート状の部材であり、図６、図７に示すように、各種キー５１が貼付される面における外縁側には、外縁に沿って枠状に隆起したパッキング部５２ａが設けられている。
そして、図８（ａ）（ｂ）に示すように、前面ケース１と後面ケース２をビス止めして、前面ケース１と後面ケース２とで回路基板３を挟み込む際、回路基板３上のキーボード部５は前面ケース１に向けて押し付けられる。このとき、前面ケース１の内面側において複数のキー挿入孔１ｄを囲う位置に形成されている枠状リブ１ｂが、枠状に隆起しているパッキング部５２ａを押し潰すことで、キーボードシート５２と前面ケース１が密着する。
つまり、電子機器１００を組み立てる際に、前面ケース１と後面ケース２をビス止めすることによって、前面ケース１の内面側に形成されている枠状リブ１ｂと、キーボードシート５２の外縁に沿って枠状に隆起しているパッキング部５２ａとを密着させた防水構造を形成することができ、前面ケース１のキー挿入孔１ｄから電子機器１００の内部に水が浸入することを防ぐことができる。
なお、従来は、前面ケース１の内面に両面テープを用いてキーボードシート５２の外縁を貼付して水の浸入を防ぐようにしていたため、完全な防水構造を得るために隙間なくキーボードシート５２を貼り付ける作業は難しく煩わしいものであった。
それに対し、キーボードシート５２に枠状に隆起したパッキング部５２ａを設けたことで、前面ケース１と後面ケース２をビス止めすることによって、前面ケース１とキーボードシート５２とを密着させることができ、容易に防水構造の形成が可能になり、電子機器１００の組み立て作業が容易になった。
【００１７】
電池収納部１０には、図３、図９（ａ）（ｂ）に示すように、一端に板状の正極端子１１が設けられ、他端にコイルばね状の負極端子１２が設けられている。この電池収納部１０に収納された電池Ｂの正極に正極端子１１が接触し、電池Ｂの負極に負極端子１２が接触する。
また、電池収納部１０には、図９（ａ）に示すように、電池Ｂが収納されるスペースの下に、様々なデータを記憶する記憶媒体であるメモリーカードＭを収納するカード収納部１３が設けられている。
特に、この電池収納部１０には、その内面を覆うカバー部材３０が配設されている。
カバー部材３０は、例えば、ゴムラバーなどの弾性材料からなり、電池収納部１０と電池Ｂの間に介装される部材である。図１０（ａ）（ｂ）に示すように、カバー部材３０の側面には２つずつ計４つの係入片３１が形成されており、この係入片３１を電池収納部１０内の係入孔（図示省略）に差し込むことで、カバー部材３０を電池収納部１０に取り付けている。
【００１８】
カバー部材３０は、図１０（ａ）（ｂ）に示すように、円筒状の電池Ｂの周面に倣う曲面をその上面に有しており、電池収納部１０に収納された電池Ｂの下半面を覆うようになっている。このカバー部材３０が電池収納部１０に取り付けられていることで、例えば、ＰＣ／ＡＢＳアロイなど比較的硬い樹脂材料からなる電池収納部１０に、電池Ｂが直接触れないようになっている。
また、カバー部材３０には、電池収納部１０のカード収納部１３を露出させる開口部３２が設けられており、この開口部３２を通じてカード収納部１３にメモリーカードＭを着脱することが可能になっている。
また、カバー部材３０の負極端子１２側には、電池Ｂが負極端子１２側に移動することを規制する移動規制部３３が設けられている。移動規制部３３はカバー部材３０中、比較的肉厚に形成された部分である。この移動規制部３３が電池Ｂの負極に当接し、電池Ｂがコイルばね状の負極端子１２を所定量以上収縮させないようにすることで、電池Ｂの正極と正極端子１１とが非接触にならないようにしている。
なお、カバー部材３０の上面には、電池収納部１０に収納する電池Ｂの向きを示すマークが記されている。
【００１９】
電池収納部１０を塞ぐ電池蓋２０の内面には、図３に示すように、例えば、スポンジやゴムラバーなどの弾性材料からなる４つのクッション部材４０…が両面テープで貼付されて設けられている。
そして、電池Ｂを収納した電池収納部１０を電池蓋２０で塞いだ状態では、図８（ｂ）に示すように、電池Ｂはカバー部材３０とクッション部材４０とに挟まれて、電池収納部１０および電池蓋２０と接触しないように収納されている。
【００２０】
このように電子機器１００は、電池Ｂをカバー部材３０とクッション部材４０とで挟んだ状態で、その電池Ｂが電池収納部１０および電池蓋２０と接触しないように内部に収納しているので、例えば、電子機器１００を誤って落としてしまってもその衝撃は電池Ｂに伝わり難くなっており、電子機器１００が落下した衝撃で内部の電池Ｂがへこむなど損傷することはない。
また、落下などの衝撃が電子機器１００の内部の電池Ｂに伝わり難くしたことで、電池Ｂが移動したりずれたりし難くなり、電源遮断の発生を低減させることができる。特に、カバー部材３０の負極端子１２側に設けた移動規制部３３が、電池Ｂが負極端子１２側に移動することを規制するので、電源遮断をより一層低減させることができる。
【００２１】
なお、電池蓋２０の内面に設けるクッション部材は、図３に示したような矩形形状のものに限らない。
例えば、図１１に示すように、カバー部材３０を反転させたような形状のクッション部材４４を電池蓋２０の内面に配設してもよい。
クッション部材４４は、円筒状の電池Ｂの周面に倣う曲面をその下面に有しており、電池収納部１０に収納された電池Ｂの上半面を覆うようになっている。
そして、図１２に示すように、電池Ｂを収納した電池収納部１０を電池蓋２０で塞いだ状態では、カバー部材３０の開口部３２部分を除き、カバー部材３０とクッション部材４４とで電池Ｂの周面を一周する範囲を覆っている。つまり、電子機器１００内に収納された電池Ｂにおける正極側の周面と負極側の周面は、カバー部材３０とクッション部材４４とでその全周が覆われている。
このように、カバー部材３０とクッション部材４４とで電池Ｂの周面を一周する範囲に亘って覆う部分を有する構造であれば、電池収納部１０および電池蓋２０が電池Ｂとより一層接触し難くなるとともに、内部の電池Ｂに衝撃をより伝え難い構造とすることができる。
【００２２】
次に、電池収納部１０を塞いだ電池蓋２０を後面ケース２に係止するロック構造について説明する。
【００２３】
図３に示すように、電池蓋２０の一端側には舌部２１が設けられ、他端側には被係止部２２，２２が設けられている。また、図２（ａ）（ｂ）に示すように、電子機器１００の後面ケース２には、電池蓋２０を係止するための左ロック部８０および右ロック部９０が設けられている。
【００２４】
この電池蓋２０で電池収納部１０を塞ぎ、電池蓋２０を電子機器１００の後面ケース２に取り付ける場合、まず、電池蓋２０の一端側の舌部２１を後面ケース２の差込孔（図示省略）に差し込んだ後、電池蓋２０の他端側を後面ケース２に押し込むように装着する。
次いで、開放位置にある左ロック部８０および右ロック部９０を係止位置に切り替え、後述する左ロック部８０の係止部８２と右ロック部９０の係止部９２で電池蓋２０の被係止部２２，２２を係止して、電池蓋２０が落下などの衝撃で外れないようにロックする。
なお、図２（ｂ）に示す左ロック部８０および右ロック部９０は開放位置にあり、図２（ａ）に示す左ロック部８０および右ロック部９０は係止位置にある。
以下に、左ロック部８０および右ロック部９０を具体的に説明する。
【００２５】
左ロック部８０は、図１３に示すように、電池蓋２０の被係止部２２を係止する係止部８２と、係止部８２をユーザ操作によって係止位置と開放位置に切り替える操作部８１と、係止部８２と連動して位置が切り替えられる被検知部８３と、係止部８２と連動して移動する爪部８４と、を備えている。爪部８４の先端には突起８４ａが形成されている。
この左ロック部８０は２つのパーツからなり、操作部８１と係止部８２は一体成型されて一方のパーツを構成し、被検知部８３と爪部８４は一体成型されて他方のパーツを構成している。図１４、図１５に示すように、操作部８１と係止部８２を有する一方のパーツは後面ケース２の外面側に配され、被検知部８３と爪部８４を有する他方のパーツは後面ケース２の内面側に配されており、その一方のパーツと他方のパーツが所定の向きにネジ止めされて後面ケース２に軸着されている。
また、図１４（ｂ）、図１５（ｂ）に示すように、後面ケース２の内面側において、被検知部８３と爪部８４を有する他方のパーツが配設されている近傍には、被検知部８３の位置を検出する検知部であるスイッチ６０が基板６６に実装されて設けられている。なお、後述するが、このスイッチ６０は、左ロック部８０の被検知部８３の位置を検出し、電池蓋２０が開蓋可能な状態であることを検知する機能を有している。
【００２６】
そして、ユーザが左ロック部８０の操作部８１をつまみ、操作部８１を回動することで係止部８２を回転移動させて、図１４（ａ）（ｂ）に示す係止位置と、図１５（ａ）（ｂ）に示す開放位置とに切り替えることができる。また、操作部８１を回動させる操作に伴い、係止部８２と連動させて被検知部８３と爪部８４を回転移動させ、その位置を切り替えることができる。
【００２７】
右ロック部９０は、図１３に示すように、電池蓋２０の被係止部２２を係止する係止部９２と、係止部９２をユーザ操作によって係止位置と開放位置に切り替える操作部９１と、係止部９２と連動して移動する爪部９４と、を備えている。爪部９４の先端には突起９４ａが形成されている。
この右ロック部９０は２つのパーツからなり、操作部９１と係止部９２は一体成型されて一方のパーツを構成し、爪部８４は他方のパーツを構成している。図１４、図１５に示すように、操作部９１と係止部９２を有する一方のパーツは後面ケース２の外面側に配され、爪部９４を有する他方のパーツは後面ケース２の内面側に配されており、その一方のパーツと他方のパーツが所定の向きにネジ止めされて後面ケース２に軸着されている。
【００２８】
そして、ユーザが右ロック部９０の操作部９１をつまみ、操作部９１を回動することで係止部９２を回転移動させて、図１４（ａ）（ｂ）に示す係止位置と、図１５（ａ）（ｂ）に示す開放位置とに切り替えることができる。また、操作部９１を回動させる操作に伴い、係止部９２と連動させて爪部９４を回転移動させ、その位置を切り替えることができる。
【００２９】
このような左ロック部８０と右ロック部９０を備えた電子機器１００において、左ロック部８０の係止部８２と右ロック部９０の係止部９２がともに開放位置にある状態で、電池蓋２０を電子機器１００の後面ケース２に装着し、左ロック部８０の操作部８１を時計回りに回して係止部８２を係止位置に切り替え、右ロック部９０の操作部９１を反時計回りに回して係止部９２を係止位置に切り替えることで、電池蓋２０はロックされる。
なお、係止部８２、９２を開放位置から係止位置に切り替えた際、係止部８２、９２は電池蓋２０の被係止部２２，２２の溝に挿入され、係止部８２、９２と被係止部２２，２２が嵌合状態となって係止部８２、９２が電池蓋２０を係止し、電池蓋２０がロックされるようになっている。
【００３０】
また、図１４（ｂ）、図１５（ｂ）に示すように、後面ケース２の内面側における左ロック部８０の爪部８４の移動範囲と右ロック部９０の爪部９４の移動範囲には、それぞれ２箇所ずつ凸部２ｂが設けられている。
そして、左右の操作部８１、９１をそれぞれ操作し、係止部８２、９２と連動させて爪部８４、９４を回転移動させる際、爪部８４、９４の突起８４ａ、９４ａが凸部２ｂにぶつかるので、爪部８４、９４は弾性変形して凸部２ｂを乗り越えて移動するようになっている。
この爪部８４、９４が凸部２ｂを乗り越える際に、弾性変形した爪部８４、９４が弾かれるように復元することで、クリック音を発するようになっている。
つまり、操作部８１、９１を操作して、係止部８２、９２を係止位置から開放位置、あるいは開放位置から係止位置に切り替える際、爪部８４、９４は２つの凸部２ｂを乗り越えるので「カチッ、カチッ」と、２回のクリック音が発せられる。
こうしてユーザが操作部８１、９１を操作する際、その操作に伴い爪部８４、９４の位置が切り替わることでクリック音が発せられるとともに、ユーザはそのクリック感を得ることで、左ロック部８０および右ロック部９０による電池蓋２０のロックやロック解除の操作を行ったことを実感することができる。
【００３１】
次に、電子機器１００の電池蓋２０を取り外す際の動作や処理について説明する。
【００３２】
ユーザが電子機器１００を使用する状態では、図２（ａ）に示すように、電池蓋２０は電池収納部１０を塞ぎ、電子機器１００の後面ケース２に取り付けられており、更に、左ロック部８０および右ロック部９０を係止位置に切り替え、係止部８２と係止部９２とで電池蓋２０の被係止部２２，２２を係止して、電池蓋２０をロックしている。なお、このとき左ロック部８０の被検知部８３は、図１６（ａ）、図１７（ａ）に示す位置にある。
このように電池蓋２０をロックした状態であれば、電子機器１００を使用中に誤って落としてしまっても、落下などの衝撃で電池蓋２０が外れないようになっている。
【００３３】
そして、電池Ｂの交換やメモリーカードＭの取り出しを行うために、電池蓋２０を取り外す場合には、係止位置にある左ロック部８０の操作部８１を反時計回りに回転させ、係止部８２を係止位置から開放位置に切り替える。同様に係止位置にある右ロック部９０の操作部９１を時計回りに回転させ、係止部９２を係止位置から開放位置に切り替える。
係止部８２および係止部９２が開放位置に切り替えられたことで、係止部８２および係止部９２は電池蓋２０の被係止部２２，２２から外れて電池蓋２０のロックが解除され、電池蓋２０が開蓋可能な状態となる。
【００３４】
特に、左ロック部８０の操作部８１が操作され、係止部８２が係止位置から開放位置に切り替えられた際、係止部８２と連動する被検知部８３は、図１６（ｂ）、図１７（ｂ）に示す位置に移動して、スイッチ６０のレバー６１を押し下げる。
そして、電子機器１００の制御部３ｂは、スイッチ６０のレバー６１が押し下げられたことで、被検知部８３および係止部８２が開放位置にあることを検知し、電池蓋２０が開蓋可能な状態であることを判断する。
制御部３ｂが、係止部８２が開放位置にあって、電池蓋２０が開蓋可能な状態であることを検知した際、電子機器１００（制御部３ｂ）は、メモリーカードＭへのデータの書き込みを行い電源遮断に備える処理を実行する。このタイミングでメモリーカードＭへデータの書き込みを行うことで、データの消失を回避することができる。
また、電子機器１００（制御部３ｂ）は、メモリーカードＭへのデータの書き込みを行うことの他に電源遮断に備える処理として、回路基板３に実装されている各種電子部品や素子への信号供給をオフにし、回路基板３の動作を終了する処理を実行する。この処理によって電子機器１００が各種動作中に突然電源が遮断されることによる故障等を回避することができる。なお、被検知部８３および係止部８２が係止位置に切り替わり、スイッチ６０のレバー６１が、図１６（ａ）、図１７（ａ）に示す位置に戻されると、回路基板３等に電源供給が再開されるようになっている。
【００３５】
このように電子機器１００は、電池収納部１０を塞いだ電池蓋２０が左ロック部８０および右ロック部９０によってロックされており、電子機器１００を落としてしまった衝撃などで電池蓋２０が外れないようになっているので、落下の衝撃などで電池蓋２０が外れて電池Ｂが脱落してしまうような電源遮断を防止することができる。
【００３６】
特に、電池蓋２０を取り外す動作として左ロック部８０と右ロック部９０を操作する際、ここでは左ロック部８０の操作部８１を操作して係止部８２を係止位置から開放位置に切り替える際に、係止部８２と連動する被検知部８３がスイッチ６０のレバー６１を押し下げたことをトリガーに、電子機器１００（制御部３ｂ）はメモリーカードＭへのデータの書き込みを行うことができる。
つまり、この電子機器１００は、電池蓋２０を開蓋する前にメモリーカードＭへのデータの書き込みを行うことができ、電池Ｂを電池収納部１０から外す前にメモリーカードＭにデータが記憶されるようになっているので、突然の電源遮断によってデータの書き込みが妨げられることはなく、より確実にデータの消失を防止することができる。
【００３７】
また、メモリーカードＭは、電池収納部１０内のカード収納部１３に収納されており、電池Ｂが被さった箇所にあるので、電子機器１００の操作中（例えば、メモリーカードＭへのデータの書き込み処理中）にメモリーカードＭが取り出されることはない。
特に、メモリーカードＭを取り出す際には、電池蓋２０を取り外す動作として左ロック部８０と右ロック部９０を操作することになり、上記したように、電池蓋２０を開蓋する前にメモリーカードＭへのデータの書き込みが行われるので、より確実にデータの消失を防止することができる。
【００３８】
以上、本実施の形態によれば、電子機器１００は、電池収納部１０を塞いだ電池蓋２０が左ロック部８０および右ロック部９０によってロックされており、電子機器１００を落としてしまった衝撃などで電池蓋２０が外れないようになっているので、落下の衝撃などで電池蓋２０が外れて電池Ｂが脱落してしまうような電源遮断を防止することができる。
特に、電池蓋２０を取り外す動作として、左ロック部８０の操作部８１を操作して係止部８２を係止位置から開放位置に切り替える際に、係止部８２と連動する被検知部８３がスイッチ６０のレバー６１を押し下げたことをトリガーに、電子機器１００はメモリーカードＭへのデータの書き込みを行うことができる。つまり、電子機器１００は、被検知部８３がスイッチ６０のレバー６１を押し下げたことによって、係止部８２が開放位置にあって電池蓋２０が開蓋可能な状態であることを検知し、電池蓋２０が開蓋される前にメモリーカードＭへのデータの書き込みを行うことができ、電池Ｂを電池収納部１０から外す前にメモリーカードＭにデータが記憶されるようになっているので、突然の電源遮断によってデータの書き込みが妨げられることはなく、より確実にデータの消失を防止することができる。
【００３９】
また、電子機器１００は、被検知部８３がスイッチ６０のレバー６１を押し下げたことによって、係止部８２が開放位置にあって電池蓋２０が開蓋可能な状態であることを検知すると、回路基板３に実装されている各種電子部品や素子への信号供給をオフにし、回路基板３の動作を終了する処理を実行するので、電子機器１００が各種動作中に突然電源が遮断されることによる故障等を回避することができる。
【００４０】
また、左右の操作部８１、９１をそれぞれ操作し、係止部８２、９２と連動させて爪部８４、９４を回転移動させる際、爪部８４、９４の突起８４ａ、９４ａが凸部２ｂにぶつかって、その爪部８４、９４が凸部２ｂを乗り越えるタイミングにクリック音が発せられるので、ユーザはそのクリック音やクリック感を得ることで、左ロック部８０および右ロック部９０による電池蓋２０のロックやロック解除の操作を行ったことを実感することができる。
【００４１】
なお、以上の実施の形態においては、左ロック部８０の操作部８１と右ロック部９０の操作部９１を回転移動させることで係止部８２、９２や被検知部８３を回転移動させてその位置を切り替えるとしたが、本発明はこれに限定されるものではなく、操作部８１と操作部９１をスライド移動させることで係止部８２、９２や被検知部８３をスライド移動させてその位置を切り替えるようにしてもよい。
電子機器１００のケース表面に沿って操作部８１や操作部９１を回転移動させたりスライド移動させたりし、その操作部８１や操作部９１と連動させてケース裏面に沿って係止部８２、９２や被検知部８３を回転移動させたりスライド移動させたりして位置を切り替えるようにすれば、係止部８２、９２や被検知部８３の位置を電子機器１００の厚み方向に切り替えるものよりも、電子機器１００の薄型化を図ることができる。
【００４２】
また、その他、具体的な細部構造等についても適宜に変更可能であることは勿論である。
【００４３】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
電池を収納する電池収納部と、前記電池収容部を塞ぐ電池蓋とを備え、前記電池を駆動電源として作動する電子機器であって、
前記電池収容部を塞いだ前記電池蓋を係止する係止部をユーザ操作によって係止位置と開放位置に切り替える操作部と、
前記係止部と連動して位置が切り替えられる被検知部と、
前記被検知部の位置に応じて、前記係止部が開放位置にあることを検知する検知部と、
を備えることを特徴とする電子機器。
＜請求項２＞
前記検知部が、前記係止部が開放位置にあることを検知した際、データを記憶する記憶媒体へのデータの書き込みを行う処理を実行する制御部を備えることを特徴とする請求項１に記載の電子機器。
＜請求項３＞
電子部品が実装されている回路基板を備え、
前記制御部は、前記係止部が開放位置にあることを検知した際、前記回路基板の電子部品への信号供給をオフにし、前記回路基板の動作を終了させる処理を実行することを特徴とする請求項２に記載の電子機器。
＜請求項４＞
前記操作部は、ユーザ操作によって回転移動またはスライド移動することで、前記係止部および被検知部を回転移動またはスライド移動させて、その位置を切り替えることを特徴とする請求項１〜３の何れか一項に記載の電子機器。
＜請求項５＞
前記係止部と連動して移動する爪部と、
前記爪部の移動範囲に設けられている凸部と、を備え、
前記爪部の位置が切り替えられる際、前記爪部が前記凸部を乗り越えることを特徴とする請求項１〜４の何れか一項に記載の電子機器。
【符号の説明】
【００４４】
１      前面ケース
１ａ    ネジ穴
１ｂ    枠状リブ
１ｃ    表示開口部
１ｄ    キー挿入孔
１７    係着部
１７ａ  位置決めリブ
１７ｂ  係着爪
２      後面ケース
２ａ    ビス挿入孔
２ｂ    凸部
３      回路基板
３ａ    制御部
４      表示部
５      キーボード部
５１    キー
５２    キーボードシート
５２ａ  パッキング部
６      ビス
７      補助金具
７ａ    ネジ穴
７１    固定端部
７２    ビス止め部
１０    電池収納部
１１    正極端子
１２    負極端子
１３    カード収納部
２０    電池蓋
２１    舌部
２２    被係止部
３０    カバー部材
３１    係入片
３２    開口部
３３    移動規制部
４０    クッション部材
４４    クッション部材
６０    スイッチ（検知部）
６１    レバー
８０    左ロック部
８１    操作部
８２    係止部
８３    被検知部
８４    爪部
８４ａ  突起
９０    右ロック部
９１    操作部
９２    係止部
９４    爪部
９４ａ  突起
１００  電子機器
Ｂ      電池
Ｍ      メモリーカード（記憶媒体）
【図１】
2018014333.tif 000003
【図２】
2018014333.tif 000004
【図３】
2018014333.tif 000005
【図４】
2018014333.tif 000006
【図５】
2018014333.tif 000007
【図６】
2018014333.tif 000008
【図７】
2018014333.tif 000009
【図８】
2018014333.tif 000010
【図９】
2018014333.tif 000011
【図１０】
2018014333.tif 000012
【図１１】
2018014333.tif 000013
【図１２】
2018014333.tif 000014
【図１３】
2018014333.tif 000015
【図１４】
2018014333.tif 000016
【図１５】
2018014333.tif 000017
【図１６】
2018014333.tif 000018
【図１７】
2018014333.tif 000019
【手続補正書】
【提出日】平成29年9月28日(2017.9.28)
【手続補正１】
【補正対象書類名】明細書
【補正対象項目名】０００５
【補正方法】変更
【補正の内容】
【０００５】
本発明の課題は、衝撃による電池蓋外れを抑制することである。
【手続補正２】
【補正対象書類名】明細書
【補正対象項目名】０００６
【補正方法】変更
【補正の内容】
【０００６】
本発明に係る電子機器は、縦長に形成された本体ケースにおける一方の短辺側に偏った位置に複数のキーが配列された操作部が設けられているとともに、前記本体ケース内に電池を横たえるようにして挿入するための挿入口が前記操作部の裏面側に設けられている電子機器であって、前記挿入口を塞ぐための電池蓋が前記本体ケースに装着された際に前記電池蓋を前記本体ケースに前記一方の短辺から遠い側でロックさせるための第１のロック機構及び第２のロック機構を有し、前記第１のロック機構及び前記第２のロック機構のそれぞれは、前記電池蓋を係止するための係止部と、前記係止部をユーザによる回転操作によって係止位置と開放位置とに切り替えるための操作部と、を有し、前記第１のロック機構と前記第２のロック機構との間で、前記係止位置と前記開放位置とに切り替えるための回転操作方向が異なっていることを特徴とする。
【手続補正３】
【補正対象書類名】明細書
【補正対象項目名】０００７
【補正方法】変更
【補正の内容】
【０００７】
本発明によれば、衝撃による電池蓋外れを抑制することができる。
【手続補正４】
【補正対象書類名】特許請求の範囲
【補正対象項目名】全文
【補正方法】変更
【補正の内容】
【特許請求の範囲】
【請求項１】
縦長に形成された本体ケースにおける一方の短辺側に偏った位置に複数のキーが配列された操作部が設けられているとともに、前記本体ケース内に電池を横たえるようにして挿入するための挿入口が前記操作部の裏面側に設けられている電子機器であって、
前記挿入口を塞ぐための電池蓋が前記本体ケースに装着された際に前記電池蓋を前記本体ケースに前記一方の短辺から遠い側でロックさせるための第１のロック機構及び第２のロック機構を有し、
前記第１のロック機構及び前記第２のロック機構のそれぞれは、前記電池蓋を係止するための係止部と、前記係止部をユーザによる回転操作によって係止位置と開放位置とに切り替えるための操作部と、を有し、
前記第１のロック機構と前記第２のロック機構との間で、前記係止位置と前記開放位置とに切り替えるための回転操作方向が異なっていることを特徴とする電子機器。
【請求項２】
前記第１のロック機構及び前記第２のロック機構のそれぞれは、前記操作部の回転軸と前記係止部の回転軸とが共通とされているとともに、前記係止位置にあるときに前記操作部が前記一方の短辺側から離れる方向に延出する形状となるように設けられていることを特徴とする請求項１に記載の電子機器。
【請求項３】
前記第１のロック機構及び前記第２のロック機構のそれぞれは、前記操作部の回転軸と前記係止部の回転軸とが共通とされているとともに、前記係止位置にあるときに前記係止部が前記一方の短辺側に向かう方向に末広がり状に延出する形状となるように設けられていることを特徴とする請求項１に記載の電子機器。
【請求項４】
前記第１のロック機構は、当該第１のロック機構における前記操作部が前記第２のロック機構側に向けて回転操作されたときに前記係止位置となるように構成され、
前記第２のロック機構は、当該第２のロック機構における前記操作部が前記第１のロック機構側に向けて回転操作されたときに前記係止位置となるように構成されていることを特徴とする請求項１から３の何れかに記載の電子機器。
【請求項５】
前記本体ケースの両脇に設けられた一対のサイドスイッチを有し、
前記第１のロック機構及び前記第２のロック機構は、前記一対のサイドスイッチ間に位置するように設けられていることを特徴とする請求項１から４の何れかに記載の電子機器。